(57)【要約】【課題】  １つのハンドルで通常掃除状態での掃除機本体持ち上げ移動、高所や階段掃除の持ち運び、アタッチメント収納状態での持ち上げ移動等の各場合において、使い勝手が向上した電気掃除機を提供すること。【解決手段】  上記の課題を解決するためには、内部に電動送風機及び集塵部を有し、前端部に本体吸込口を備えた掃除機本体を有する電気掃除機において、掃除機本体には、この掃除機本体を清掃面上で支える車輪と、使用者が握る把持部を有するハンドルが設けられ、このハンドルは、掃除機本体の上方を前後方向に回動自在に軸支されると共に、把持部が掃除機本体の前側に位置した状態で固定できるように構成する。【選択図】図１
2013202078.tif 000002
【特許請求の範囲】
【請求項１】
内部に電動送風機及び集塵部を有し、前端部に本体吸込口を備えた掃除機本体を有する電気掃除機において、
前記掃除機本体には、該掃除機本体を清掃面上で支える車輪と、使用者が握る把持部を有するハンドルが設けられ、
該ハンドルは、前記掃除機本体の上方を前後方向に回動自在に軸支されると共に、前記把持部が該掃除機本体の前側に位置した状態で固定できることを特徴とする電気掃除機。
【請求項２】
前記把持部が本体の前側に位置した状態で前記ハンドルを前記掃除機本体に固定する固定手段を有し、該固定手段は、前記ハンドルに係合する固定凸部とこの係合状態を解除する固定解除手段からなり、前記固定凸部は前記掃除機本体の外周に位置することを特徴とした請求項１記載の電気掃除機。
【請求項３】
前記固定解除部の操作する方向と前記把持部を握る方向は、異ならせることを特徴とする請求項２記載の電気掃除機。
【請求項４】
前記固定手段において、前記固定解除手段はレバー形状又はつまみ形状に構成したことを特徴とする請求項３に記載の電気掃除機。
【請求項５】
前記ハンドルが、前記把持部が前記本体掃除機の前側に位置した状態で固定されている状態において、該ハンドルは、前記掃除機本体の前部および両側面外端に位置することを特徴とする請求項１乃至４に記載の電気掃除機。
【請求項６】
前記ハンドルが床面に対して略垂直で前記把持部が前記掃除機本体の上部に位置した状態で前記掃除機本体に対して固定される固定手段を、前記掃除機本体の前記ハンドルの軸支位置付近に設けたことを特徴とした請求項１記載の電気掃除機。
【請求項７】
前記ハンドルが床面に対して略垂直で前記把持部が前記掃除機本体の上部に位置した状態で前記掃除機本体に対して固定された状態において、前記把持部にアタッチメントを掛けられる構成としたことを特徴とする請求項６記載の電気掃除機。
【発明の詳細な説明】
【技術分野】
【０００１】
本発明は、掃除機本体に回動可能に軸支されたハンドルを備えた電気掃除機に関する。
【背景技術】
【０００２】
従来から、この種の電気掃除機は、電動送風機及び内部に塵埃を保持する集塵部を収容した掃除機本体を備えている。この掃除機本体には、前側に旋回輪、後側に従動輪が回転自在に設けられ、これら旋回輪および従動輪により、掃除機本体が床面上を走行可能に構成されている。
また、掃除機本体の前端には、吸引した塵埃の流路となるホースが接続されており、ホースには延長パイプや床面吸込具等のアタッチメントが接続される。
【０００３】
更に、掃除機本体には、この掃除機本体を持ち上げる際に把持されるハンドルが取り付けられている。このハンドルは、両端が掃除機本体の両側部にそれぞれ軸支されたアーム部と、これらアーム部の両端部間を連結し使用者に把持される把持部を備えた略Ｕ字状に形成されている（例えば、特許文献１参照）。
【０００４】
上記の電気掃除機の他に、本体持ち上げる際のハンドルが掃除機本体の前端部に設けられたものもある（例えば、特許文献２参照）。
【先行技術文献】
【特許文献】
【０００５】
【特許文献１】特開２００４−２３６９３２号公報（図３）
【特許文献２】特開２００２−３４８６８号公報（図１）
【発明の概要】
【発明が解決しようとする課題】
【０００６】
引用文献１に記載の構成は、掃除機本体の上方に把持部が位置することから、通常の使用状態（床面上に各車輪を設置した状態）から、掃除機本体持ち上げるには、掃除機本体を持ち上げやすい構成となっている。
しかしながら、高所や階段を掃除する時のように、ホースの接続位置を上方に向けて使用するような場合や、アタッチメントを掃除機本体に係止してアタッチメントを収納した状態では、把持部が側方を向いてしまい持ち上げ難い、という問題がある。
【０００７】
また、引用文献２に記載の構成は、掃除機本体の前端部にハンドルを設けた構成では、高所や階段を掃除する際にはハンドルが上方を向くので、掃除機本体を持ち上げやすい。
しかしながら、通常の使用状態の場合、ハンドルの位置が前端部にあるため、ハンドルを握って本体を持ち上げた際、バランスをとるのが困難である、という問題がある。
【０００８】
本発明は上記問題を解決するものであり、１つのハンドルで通常掃除状態での掃除機本体持ち上げ移動、高所や階段掃除の持ち運び、アタッチメント収納状態での持ち上げ移動等の各場合において、使い勝手が向上した電気掃除機を提供することを目的とする。
【課題を解決するための手段】
【０００９】
上記の課題を解決するためには、内部に電動送風機及び集塵部を有し、前端部に本体吸込口を備えた掃除機本体を有する電気掃除機において、掃除機本体には、この掃除機本体を清掃面上で支える車輪と、使用者が握る把持部を有するハンドルが設けられ、このハンドルは、掃除機本体の上方を前後方向に回動自在に軸支されると共に、把持部が掃除機本体の前側に位置した状態で固定できるように構成する。
【発明の効果】
【００１０】
本発明によれば、１つのハンドルで、通常掃除状態での掃除機本体の持ち上げ移動、高所や階段を掃除する際の掃除機本体の持ち運び、アタッチメント収納状態における掃除機本体の持ち上げ移動の各場合において、使い勝手が向上した電気掃除機を提供することが可能となる。
【図面の簡単な説明】
【００１１】
【図１】実施の形態１を示す掃除機本体の側面図（ハンドルを倒した上体で固定）
【図２】実施の形態１を示す掃除機本体の側面図（ハンドルを立てた状態で固定）
【図３】実施の形態１を示す掃除機本体の側面図（収納状態）
【図４】図３の拡大図
【図５】実施の形態２を示す掃除機本体の前面図
【図６】実施の形態２を示す掃除機本体の斜視図（ハンドル非固定状態）
【図７】図８のＸ−Ｘ断面図
【図８】実施の形態２を示す掃除機本体の側面図
【図９】実施の形態２を示す掃除機本体の斜視図（ハンドル固定状態）
【図１０】実施の形態３を示す掃除機本体の斜視図
【図１１】実施の形態４を示す掃除機の使用状態（側面図）
【図１２】実施の形態４を示す掃除機の使用状態（斜視図）
【発明を実施するための形態】
【００１２】
（実施の形態１）
以下、図１〜図４を参照して、本発明の実施の形態１について説明する。
図３を参照すると、電気掃除機Ａは、掃除機本体１０と、この掃除機本体１０に接続されるホース３０と、このホース３０の先端部に設けられる手元操作部４０と、この手元操作部４０に着脱自在に接続される伸縮自在に構成された延長パイプ５０と、この延長パイプ５０に着脱自在に接続される清掃面Ｇから塵埃を吸込む床面吸込具６０を有する。
【００１３】
このホース３０は、可撓性を有し湾曲可能な細長略円筒状をなしている。また、手元操作部４０は、電動送風機などの動作モードを設定する複数の設定ボタンが設けられていると共に、掃除する際に、作業者が把持する操作把持部が設けられている。また、延長パイプ５０は、伸縮可能な細長略円筒状をなしたパイプで構成されている。また、床面吸込具６０は、清掃面である床面に対向した吸込口が形成されており、床面から直接塵埃を吸込み可能に構成されている。
【００１４】
そして、これらの床面吸込具６０と延長パイプ５０、延長パイプ５０と手元操作部４０は、それぞれ連通して接続されており、床面吸込具６０から掃除機本体１０に至る、清掃面から吸込んだ塵埃の流路が形成されている。
【００１５】
このように構成された電気掃除機Ａは、使用者の入力や各部のセンサーからの情報、所定のアルゴリズムに基づき、掃除機本体１０に設けられた制御部（図示せず）が各部を制御することで、掃除機本体１０に搭載された電動送風機により発生させられる吸引力により、床面吸込具６０に開口する下開口から清掃面Ｇ上から塵埃を吸込み、延長パイプ５０と手元操作部４０とホース３０を通して、掃除機本体１０の内部に設けられた集塵部に搬送するように構成されている。
【００１６】
次に、掃除機本体１０について説明する。
図１及び図３を参照すると、掃除機本体１０は外郭をケース体１１で構成されており、このケース体１１の内部には、電動送風機や集塵部や制御部などが設けられている。
また、掃除機本体１０の前端部には、集塵部及び電動送風機の吸込側に連通するホース３０が接続する本体吸込口１０ａが開口している。
【００１７】
ケース体１１は、上方に向かって開口し掃除機本体１０の下面を構成する下ケース１１ａと、この下ケース１１ａの上側に設けられ集塵部の着脱の為の開口が形成された上ケース１１ｂと、この上ケース１１ｂの開口を開閉自在に塞ぐ蓋体１１ｃとを有している。
そして、このケース体３は、これら下ケース１１ａ、上ケース１１ｂ、蓋体１１ｃなど各部が合わさる取り付け位置に、パッキンなどが設けられることで電動送風機の吸込側に対して気密性を有している。
【００１８】
また、掃除機本体１０のケース体１１（下ケース１１ａ）の下面前側には、前輪１１ｄが回転自在かつ旋回可能に設けられている。更に、掃除機本体１０の後側の両側それぞれに、後輪１１ｅが回転自在にそれぞれ設けられている。これら車輪である前輪１１ｄ及び後輪１１ｅは、掃除機本体１０が清掃面上を走行可能に支えるものである。
更に、このケース体１１（下ケース１１ａ）の前端には、前方に向けて開口する係止凹部１１ｆが形成されている。
この係止凹部１１ｆは、掃除機本体１０の後部を下方に向けて床面に置いた状態において、延長パイプ５０の先端側の外周部に設けられた係止部５１を内方に受け入れて係合することで、電気掃除機を収納状態にするためのものである。
【００１９】
また、上ケース１１ｂには、ケース体１１内の後部に区画され電動送風機を収容する電動送風機室の上部を含んだ部分に位置し、掃除機本体１０を持ち上げる際に、使用者が握る略Ｕ字状のハンドル１２が設けられている。
また、上ケース１１ｂには、商用の交流電源から電動送風機２などに給電するための電源コードをケース体１１の内部に巻き取り可能とする巻き取りボタン１１ｇが設けられている。
この様な掃除機本体１０は、図１に示すように、掃除面Ｇである床面上に前輪１１ｄと後輪１１ｅが接地した状態で、通常の使用状態となる。
【００２０】
ここで、ハンドル１２について説明する。
ハンドル１２は、略Ｕ字形状を成しており、一対のアーム１２ａと、このアーム１２ａを繋ぐように構成された把持部１２ｂと、それぞれのアーム１２ａの両端からそれぞれ他方のアーム１２ａに向けて突出する一対のハンドル軸１２ｃを有している。
【００２１】
そしてハンドル１２は、ケース体１１に設けられた前輪９よりも後方かつ後輪１０より前方の位置に、このケース体１１を一対のアーム１２ａで両側から挟みこんで、ハンドル軸１２ｃが回動自在にケース体１１に形成されたハンドル取り付け軸受部１１ｈに軸支されて取り付けられる。
つまり、ハンドル１２は、把持部１２ｂが掃除機本体１１の前側から後方に向けて動くことができるように、掃除機本体１１に対して回動自在に取り付けられる。
尚、ケース体１１のハンドル１２を軸支するハンドル取り付け軸受部１１ｈの位置は、掃除機本体１１の前後方向に重心位置か、重心位置の近傍となる位置である。
【００２２】
ここで、ハンドル１２の形状と、ハンドル１２と掃除機本体１０の関係について、状態ごとに詳細に説明する。
（ハンドル１２が掃除機本体１０に畳まれた状態）
図１を参照すると、ハンドル１２は、掃除機本体１０に取り付けられて、本体側に畳まれた状態において、一対のアーム部１２ａは、ケース体１１への取り付け位置となっているハンドル軸１２ｃから、掃除機本体１０の前方に向けて伸びると共に、所定の屈折位置１２ｄで屈曲して上方へ向けて伸び、掃除機本体１０の左右方向に伸びる把持部１２ｂと接続する形状となっている。
尚、アーム部が屈曲する屈曲位置１２ｄは、前輪９よりも前方の位置となっている。
【００２３】
ハンドル１２は、図１の状態に、掃除機本体１０に固定及び固定の解除できるように構成されている。
つまり、ハンドル１２は、ハンドル軸１２ｃからのアーム１２ａが、床面に対して略水平方向に伸びる位置となり、かつ、把持部１２ｂが掃除機本体１の前側の位置となるように、固定できるように構成されている。
尚、この状態において、把持部１２ａは前輪１１ｄより前に位置している。また、ハンドル１２の前端となる部分は、掃除機本体１の前端と上下に揃った状態となる。
【００２４】
この様に構成することにより、図４に示すように、高所や階段を掃除する際は、掃除機本体１０の前側に位置する把持部１２ｂを握ることで、本体吸込口１０ａを上方に向けて掃除機本体１０を立てた状態でハンドル１２を持つことができる。
これにより、掃除機本体の前側に接続されたアタッチメントの高所へのアクセス性向上や、階段等の狭い場所において、本体が立った状態となり小回りが利き、使い勝手が向上する。
また、図３に示すようにアタッチメントを収納した状態において、掃除機本体１０を持ち上げ移動する際に、使用者が立った状態で上方向からハンドル１２を握ることができ、非常に使い勝手のよいハンドル１２を提供することができる。
【００２５】
（ハンドル１２が掃除機本体１０に対して立った状態  立ち上げた状態）
次に、図２を参照すると、ハンドル１２はケース体１１に対して、回動自在にとりつけられているので、ハンドル１２が掃除機本体１０に畳まれた状態（図１の状態）から、ハンドル１０の掃除機本体１２に対する固定を解除して、アーム１２ａが床面に対して略垂直となる方向に立ち上げることができる。
【００２６】
このとき把持部１２ｂは、ハンドル軸１２ｃの後方であって、掃除機本体１０の上方に所定の空間を空けて位置することとなる。また、ハンドル１２は、掃除機本体１１の前後方向の重心位置か、重心位置の近傍となる位置に取り付けられているので、把持部１２ｂを握る、又は、把持部１２ｂの下側に腕を入れることで、通常使用状態での本体の持ち上げ移動が可能となる。
【００２７】
この様に、本実施の形態の構成により、１つのハンドル１２で通常掃除状態での掃除機本体持ち上げ移動（図２）や、高所や階段掃除や、アタッチメント収納状態（図３）での持ち上げ移動等、各々の使い勝手を満足させる電気掃除機を提供できる。
【００２８】
（旧実施の形態６）
尚、本実施の形態において、ハンドル１２は、ハンドル軸１２ｃからのアーム１２ａが床面に対して略垂直位置、かつ、把持部１２ｂが掃除機本体上部位置において固定される固定手段をハンドル軸１２ｃの付近に設けるとよい。
一例として、図２に示すように、ハンドル軸１２ｃにアーム１２ｂが床面に対して略垂直位置、かつ、把持部１２ｂが掃除機本体の上方となる位置で固定できるように固定手段を設けるとよい。
【００２９】
このように構成することで、ハンドル１２がハンドル軸１２ｃからのアーム１２ｂが床面に対して、略垂直位置、かつ、把持部が掃除機本体上部位置において固定された状態となり、ハンドルを腕に掛けて掃除することも可能となる。
尚、上記の固定手段１４は、ハンドル軸１２ｃを回転自在に支持する軸受部に、ハンドル軸１２ｃの動きを直接規制する構造を用いても良い。
【００３０】
（実施の形態２）
次に、実施の形態２について説明する。
本実施の形態は、本体ハンドル１２をハンドル軸１２ｃからのアーム１２ａが床面に対して略水平位置かつ把持部１２ｃが掃除機本体１の前側に位置した状態で固定するための固定手段を、掃除機本体１の外周付近に設けた。
一例として、図５〜図７に示すように、本体ハンドル１２をハンドル軸１２ｃからのアーム１２ａが床面に対して略水平位置、かつ、把持部１２ｂが掃除機本体１０前側の状態で安定的、かつ、信頼性を確保した固定を得るため、掃除機本体１とハンドルのアーム１２ｂとが重なっている部分において、ハンドル回転軸１２ｃから最も離れた位置で、ハンドル１２を掃除機本体１０に対して固定する固定手段１４を設けた。
【００３１】
この固定手段１４は、掃除機本体１０の前側に位置し掃除機本体１０の側方に向けて出没する左右一対の固定凸部１４ａと、この固定凸部１４ａを掃除機本体１０に対して出没させる操作を行う各固定凸部１４ａに対応する一対の固定解除部１４ｂと、一対の固定解除部１４ｂの間に介在して設けられるバネ１４ｃから構成されている。一対の固定解除部１４ｂはレバー形状を成しており、掃除機本体１０の前方に突出している。
尚、固定凸部１４ａとこれに対応する固定解除部１４ｂは一体に構成されている。また、バネ１４ｃは、一対の固定凸部１４ａが左右方向に離れる方向に、一対の固定解除部１４ｂを押圧している。
【００３２】
次に、ハンドル１２には、一対の固定凹部１２ｅが形成されている。
この固定凹部１２ｅは、ハンドル１２が前方に倒れた状態で、一対の固定凸部１４ａがそれぞれ一対の固定凹部１２ｅの内部に入り込んで係合するように形成されている。
【００３３】
この様に構成された固定手段１４は、次のようにハンドル１２を固定する。
まず、ハンドル１２が固定位置に向けて動いてくると、固定凸部１４ａがハンドル１２に押され、掃除機本体１０の内方に逃げる。
そして、固定凸部１４ａと固定凹部１２ｅが左右方向に一致すると、固定凸部１４ａがバネ１４ｃの力により掃除機本体１０の側方に突出すると共に、固定凹部１２ｅに入り込み係合する。これにより、ハンドル１２は、掃除機本体１０に回動できないように固定される。
【００３４】
次に、掃除機本体１０に固定されたハンドル１２は、次のように固定を解除される。
使用者は、ハンドル１２が掃除機本体１０に固定された状態において、一対の固定解除部１４ｂをそれぞれ近づく方向に動かすことで、固定凹部１２ｅから固定凸部１４ａが外れ、ハンドル１２が掃除機本体１０に対して回動自在に動かすことが可能となる。
つまり、固定解除部１４ｂの操作する方向は、一対の固定解除部１４ｂを左右方向からつまむことで、固定凹部１２ｅと固定凸部１４ａの係合状態を解除することができる。
【００３５】
以上により、図８〜図９に示すように、本体ハンドル１２をハンドル回転軸１２ｃからのアーム１２ｂが床面に対して略水平位置かつ把持部１２ａが掃除機本体前方に固定された状態で使用する際に、把持部１２ｂと本体軸支（ハンドル回転軸）１２ｃとの距離Ａよりもハンドル把持部１２ｂと固定部１４との距離Ｂの方が近くなることで、ハンドル軸部１２ｃにかかるモーメントより本体前側に設けた固定手段１４にかかるモーメントの方が小さくなり、ハンドルの強度確保と信頼性が向上される。
【００３６】
また、本体ハンドル１２のハンドル軸１２ｃからのアーム１２ｂが床面に対して略水平位置かつ把持部が掃除機本体前方に固定するための固定手段１４において、固定解除部１４ｂの位置はハンドルを握る位置（方向）以外の位置（方向）とした。
一例として図６に示すように、本体ハンドル１２のハンドル軸１２ｃからのアーム１２ａが床面に対して略水平位置かつ把持部が掃除機本体前方に位置（固定）した状態で使用者がハンドル把持部１２ｂを握る方向ではない位置(略４５度以上異なった位置)に、固定解除部１４ａを設けた。
この構成により、使用者が把持部１２ｂを握る際に、誤って（意図しないで）固定解除部に触れても、固定が解除される危険性を回避することが出来る。
【００３７】
また、本体ハンドル１２のハンドル軸１２ｃからのアームが床面に対して略水平位置かつ把持部が掃除機本体前方に位置する状態で固定するための固定手段１４において、固定解除部１４ｂはレバーまたはつまみで構成すると良い。
これにより、ハンドル１２をハンドル軸１２ｃからのアーム１２ｂが床面に対して略水平位置かつ把持部１２ｂが掃除機本体１０の前方に固定された状態で使用する際に、誤って（意図していないとき）固定解除部１４ｂに触れて、固定が解除される危険性を回避することが出来る。
つまり、固定解除部１４ｂはレバー又はつまみ形状で、操作する方向が左右方向となるのに対し、把持部１２ｂは前方から握ることから、固定解除部１４ｂの操作方向と把持部１２ｂを握る方向を異ならせることができ、把持部を握る際に誤って固定解除部１４ｂを動かしにくい構造となっている。
【００３８】
（実施の形態３）
次に、図１０を参照して、実施の形態２について説明する。
本実施の形態は、ハンドル１２は、ハンドル軸１２ｃからのアーム１２ａが床面に対して略水平位置かつ把持部１２ｂが掃除機本体前方に固定されたときの構成として、ハンドル１２のアーム１２ａは、掃除機本体１０の前部１０ｂおよび両側面１０ｃの外端に位置させた。
【００３９】
一例として、図１０に示すように、ハンドル１２の形状をハンドル軸１２ｃからのアーム１２ａが床面に対して略水平位置かつ把持部１２ｂが掃除機本体１０の前方に固定されたときの形状として、本体前側からハンドル軸１２ｃ方向において、すり抜け性を考慮した形状とした。
本構成により、ハンドル１２がバンパーの役割を果たし、掃除機本体１０と家具や障害物等との接触保護の役目を果たす。
【００４０】
（実施の形態４）
次に、図１１〜図１２を参照して、実施の形態４について説明する。
本発明は、ハンドル１２はハンドル軸１２ｃからのアーム１２ｂが床面に対して略垂直位置かつ把持部が掃除機本体上部位置において固定された際に、把持部１２ａ付近にアタッチメントを掛けられる構成とした。
【００４１】
一例として図１１〜図１２に示すように、ハンドル１２を立てて使用した際に、把持部１２ｂが下方に向けて湾曲する形状に構成することで、アタッチメントである延長管５０をハンドル１２の把持部１２ｂに乗せることができ、安定保持状態を保つことができる。
これにより、一時的にアタッチメントを置いたり、再度掃除を開始する際の操作を、使用者が腰をかがめることなく操作を行うことが出来る。
【符号の説明】
【００４２】
Ａ  電気掃除機、１０  掃除機本体、１０ａ  吸込口、３０  ホース、４０  手元操作部、５０  延長パイプ、６０  床面吸込具、１１  ケース体、１１ａ  下ケース、１１ｂ  上ケース、１１ｃ  蓋体、１１ｄ  前輪、１１ｅ  後輪、１１ｆ  係合凹部、１１ｇ  巻取りボタン、１１ｈ  軸受部、１２  ハンドル、１２ａ  アーム、１２ｂ  把持部、１２ｃ  ハンドル軸、１２ｄ  屈折位置、１２ｅ  固定凹部、１４  固定手段、１４ａ  固定凸部、１４ｂ  固定解除部、Ｇ  清掃面（床面）
【図１】
2013202078.tif 000003
【図２】
2013202078.tif 000004
【図３】
2013202078.tif 000005
【図４】
2013202078.tif 000006
【図５】
2013202078.tif 000007
【図６】
2013202078.tif 000008
【図７】
2013202078.tif 000009
【図８】
2013202078.tif 000010
【図９】
2013202078.tif 000011
【図１０】
2013202078.tif 000012
【図１１】
2013202078.tif 000013
【図１２】
2013202078.tif 000014